(57)【特許請求の範囲】
【請求項１】
入口（２８）および出口（３０）が設けられたモータハウジング（１２）と、
前記モータハウジング（１２）内に配列されたモータ−吸引送風器ユニット（１４）とを備え、該モータ−吸引送風器ユニット（１４）は、前記モータハウジング（１２）の入口（２８）を通って流入し、該モータ−吸引送風器ユニット（１４）を通り、前記モータハウジング（１２）の出口（３０）を通って流出する吸引流（２２）を生成するように配列されており、
さらに、
前記モータ−吸引送風器ユニット（１４）を前記モータハウジング（１２）において保持する保持手段（１８）と、
前記吸引流（２２）を前記モータハウジング（１２）の入口（２８）から前記モータ−吸引送風器ユニット（１４）まで封止された態様において案内するように配列された封止手段（１６）とを備えた真空掃除機（１）において、
前記保持手段（１８）は、前記モータ−吸引送風器ユニット（１４）からの力に対して弾性的に応答する前記保持手段（１８）によって、前記モータ−吸引送風器ユニット（１４）において発生する振動が前記モータハウジング（１２）に伝播するのを防止するように配列されるとともに、前記モータ−吸引送風器ユニット（１４）が、前記保持手段（１８）および前記封止手段（１６）を介して、前記入口（２８）が形成された前記モータハウジング（１２）の壁部（２６）のみにおいて取付けられるように前記モータ−吸引送風器ユニット（１４）を前記モータハウジング（１２）において担持しており、
前記封止手段（１６）は、前記モータ−吸引送風器ユニット（１４）からの力に対して降伏することによって、前記モータ−吸引送風器ユニット（１４）において発生する振動が前記モータハウジング（１２）に伝播するのを防止するように配列される、真空掃除機（１）。
【請求項２】
前記保持手段（１８）が前記モータ−吸引送風器ユニット（１４）を前記モータハウジング（１２）において前記封止手段（１６）から独立して保持するように配列されており、前記封止手段（１６）が、前記モータハウジング（１２）の入口（２８）からの吸引流（２２）を前記モータ−吸引送風器ユニット（１４）まで前記保持手段から独立して案内するように配列される、請求項１に記載の真空掃除機（１）。
【請求項３】
前記保持手段（１８）と前記封止手段（１６）とが別個のユニットである、請求項１または２に記載の真空掃除機（１）。
【請求項４】
前記保持手段（１８）が振動に対して減衰効果を伴って応答する、請求項１〜３のいずれか１項に記載の真空掃除機（１）。
【請求項５】
前記モータ−吸引送風器ユニット（１４）が、少なくとも動作中において前記保持手段（１８）のみによって担持される、請求項１〜４のいずれか１項に記載の真空掃除機（１）。
【請求項６】
前記封止手段（１６）は、前記吸引流（２２）を案内する筒状の中空空間部が形成された構成要素を具備しており、前記封止手段（１６）は、吸引流の方向において可撓性を呈し、力に対して降伏するとともに、半径方向における圧縮荷重に対しては剛性および抵抗作用を呈する、請求項１〜５のいずれか１項に記載の真空掃除機（１）。
【請求項７】
前記封止手段（１６）がベローを具備する、請求項１〜６のいずれか１項に記載の真空掃除機（１）。
【請求項８】
前記保持手段（１８）が、モータ−吸引送風器ユニットのケーシング（１５）の壁部（２４）と、モータハウジングの壁部（２６）との間に配列される、少なくとも１つの弾性緩衝要素および減衰性緩衝要素のうちの少なくとも一方を具備する、請求項１〜７のいずれか１項に記載の真空掃除機（１）。
【請求項９】
前記緩衝要素がリング形状の構成要素である、請求項８に記載の真空掃除機（１）。
【請求項１０】
前記緩衝要素がポリマーから形成される、請求項８または９に記載の真空掃除機（１）。
【請求項１１】
前記保持手段（１８）が、モータ−吸引送風器ユニットのケーシングの壁部（２４）とモータハウジングの壁部（２６）との間に配列される、少なくとも１つのバネ（４０）を具備する、請求項１〜１０のいずれか１項に記載の真空掃除機（１）。
【請求項１２】
モータ−吸引送風器ユニットのケーシング（１５）をさらに具備しており、該モータ−吸引送風器ユニットのケーシング（１５）は、中央入口が形成された第１の壁部を具備しており、前記封止手段（１６）が前記中央入口に配列されるとともに前記モータハウジングの入口（２８）まで延在しており、前記保持手段（１８）は前記モータ−吸引送風器ユニットのケーシング（１５）の第１の壁部の最外方の端部に配列されていてモータハウジングの壁部（２６）に接続されている、請求項１〜１１のいずれか１項に記載の真空掃除機（１）。
【請求項１３】
モータ−吸引送風器ユニットのケーシング（１５）をさらに具備しており、該モータ−吸引送風器ユニットのケーシング（１５）は中央入口が形成された第１の頂壁を具備しており、前記封止手段（１６）が前記中央入口に配列されるとともに前記モータハウジングの入口（２８）まで延在しており、当該真空掃除機（１）の通常の使用に際して、前記モータ−吸引送風器ユニットのケーシング（１５）がモータハウジングの壁部（２６）から前記保持手段（１８）において懸架される、請求項１〜１２のいずれか１項に記載の真空掃除機（１）。
【発明の詳細な説明】
【技術分野】
【０００１】
本発明は、入口および出口が設けられたモータハウジングを具備する真空掃除機に関する。真空掃除機はモータ−吸引送風器ユニット（モータおよび吸引送風器からなるユニット）をさらに具備しており、モータ−吸引送風器ユニットはモータハウジング内に配列されていて、モータハウジングの入口を通って流入し、モータ−吸引送風器ユニットを通り、モータハウジングの出口を通って流出する吸引流を生成するように配列される。
【背景技術】
【０００２】
今日の真空掃除機は、真空掃除機ケーシング内部に配列されたモータ−吸引送風器ユニットを備えるのが最も一般的である。モータ−吸引送風器ユニットは、通常、モータハウジング内に配列されたケーシング内に収容される。モータハウジングは、次いで魅力的にデザインされた真空掃除機ケーシングによって包囲されている。使用者が真空掃除機の始動ボタンを押圧すると、モータ−吸引送風器ユニットが起動して真空掃除機を通る吸引流を生成し始める。
【０００３】
現在の真空掃除機に係る問題は、真空掃除機の動作中における不快な騒音である。真空掃除機には多くの騒音発生源、例えば吸引流それ自体およびモータ音が存在する。しかしながら、騒音の一部は、モータ−吸引送風器ユニットからモータハウジングおよび真空掃除機の真空掃除機ケーシングに伝達される振動により発生する。
【０００４】
モータ−吸引送風器ユニットをモータハウジングの壁部に対してポリマー製リングを介在させて取付けることによって、真空掃除機におけるモータの振動からの騒音を低減することは公知である。このリングは、集塵空間と、モータ−吸引送風器ユニットの入口との間を封止するとともにモータ−吸引送風器ユニットを支持しながらモータハウジングをモータ−吸引送風器ユニットにおいて発生する振動から保護するように配列される。
しかしながら、ある程度の騒音低減がこれら従来技術の真空掃除機によって達成されうるものの、それらの騒音レベルをより一層改善することが依然として望まれている。
【発明の概要】
【発明が解決しようとする課題】
【０００５】
したがって、本発明の目的は、前述した問題の少なくとも一部を軽減する真空掃除機を提供することにある。
【課題を解決するための手段】
【０００６】
前記目的は、添付の特許請求の範囲の請求項１において明確化される特徴を有する真空掃除機によって達成される。真空掃除機の好適な実施形態は、従属項である請求項２〜１３において明確化される。
【０００７】
すなわち、本発明は、封止可能であるとともに振動の伝播を制限可能であるとするポリマー製リングに対する要求ないし要望が相反するという観点に基づいている。このリングがより効率的な減衰作用を付与するようにより低い剛性を呈するように形成される場合、こうすることは封止特性を損ねる結果となる。このことに対応して、リングがより効率的な封止作用を付与するようにより高い剛性を呈するように形成される場合、こうすることは振動の伝播を制限する効率が低下する結果となる。この観点に基づいて、解決策は、吸引流を封止し、モータ−吸引送風器ユニットを保持するとともに振動を減衰させる構成要素である前述した封止用および支持用のポリマー製リングを、異なる機能について最適化された保持手段および封止手段として構成し直すことである。この構成のために、保持手段は、モータ−吸引送風器ユニットを保持し、かつ振動を封止手段の構成から独立して減衰させるように構成されうるとともに、封止手段は、保持手段の構成から独立して封止するように構成されうる。封止手段は、いかなる力または振動をもモータハウジングに伝達させないようにしながら、封止するように構成されうる。したがって、その封止作用および保持作用は、従前の構成よりも振動の伝播を防止するのにより効率的でありえ、振動の伝播を効率的に防止することは、騒音レベルの低下を示唆する。多くの場合に迷惑だと認識されるモータ−吸引送風器ユニットから頻繁に生じる貫通音が低減されうる。したがって、本発明の真空掃除機は、より静音の真空掃除機の簡易な構造体を提供する。
【０００８】
本発明に従って、入口および出口が設けられたモータハウジングと、モータハウジング内に配列されたモータ−吸引送風器ユニットとを具備しており、モータ−吸引送風器ユニットは、モータハウジングの入口を通って流入し、モータ−吸引送風器ユニットを通り、モータハウジングの出口を通って流出する吸引流を生成するように配列される、真空掃除機が提供される。真空掃除機は、モータ−吸引送風器ユニットをモータハウジングにおいて保持する保持手段と、モータハウジングの入口とモータ−吸引送風器ユニットとの間を封止して、吸引流をモータハウジングの入口からモータ−吸引送風器ユニットまで案内するように配列された封止手段とをさらに具備する。保持手段は、モータ−吸引送風器ユニットからの力に対して弾性的に応答する保持手段によって、モータ−吸引送風器ユニットにおいて発生する振動がモータハウジングに伝播するのを防止するように配列されるとともに、モータ−吸引送風器ユニットをモータハウジングにおいて担持する。封止手段は、モータ−吸引送風器ユニットからの力に対して降伏することによって、モータ−吸引送風器ユニットにおいて発生する振動がモータハウジングに伝播するのを防止するように配列される。
【０００９】
「力に対して弾性的に応答する」の記載は、弾力性または可撓性を呈する応答作用を意味しており、保持手段の形状および寸法は、力が除去されると迅速に復元する。「力に対して降伏する」の記載は、例えば曲げ運動または折れ運動によって力に屈することを意味しており、封止手段の復元傾向が低いか、または存在しない。
【００１０】
真空掃除機は、ケーシング内部に配列されたモータ−吸引送風器ユニットを具備する任意のタイプの真空掃除機、例えばキャニスタ型真空掃除機、セントラル真空掃除機または直立型真空掃除機でありうる。モータ−吸引送風器ユニットは、通常、空気の吸引流を生成するように配列される。真空掃除機には従来の集塵用フィルタバッグが設けられうるし、またはサイクロンフィルタ若しくはサイクロン分離器が設けられうる。
【００１１】
モータ−吸引送風器ユニットはモータ−吸引送風器ユニットのケーシング内に収容されうる。モータハウジングは、モータ−吸引送風器ユニット、モータ−吸引送風器ユニットのケーシングおよび保持手段を収容する。モータハウジングは、通常、真空掃除機ケーシング内部に配列される。
【００１２】
本発明の真空掃除機は、モータ−吸引送風器ユニットをモータハウジングにおいて保持するように配列された保持手段を具備する。保持手段は、真空掃除動作中における吸引力およびモータ−吸引送風器ユニットの重力に耐えるように配列される。保持手段は、モータ−吸引送風器ユニットからの力、例えば振動力または捻り力に対して弾性的に応答するようにさらに配列される。したがって、振動はモータハウジング内部において少なくともある程度は隔離されうるし、さらに伝播するのが防止されうる。
【００１３】
本発明の一実施形態に従って、保持手段と封止手段とが別個のユニットである、真空掃除機が提供される。封止手段および保持手段は互いに接続されて、または互いに隔離されて配列されうる。封止手段は、例えばバンドまたは梁によって保持手段に接続されうる。別個のユニットとしての保持手段および封止手段の利点は、保持手段および封止手段が異なる材料において製造されうることである。保持手段は封止手段の位置から独立して配置されうる。しかしながら、保持手段および封止手段は、別に最適化された部位、すなわち封止部位および保持部位を備えた単一の構成要素であることも考えられる。
【００１４】
保持手段は、減衰効果を伴って振動に応答するように、例えば別個の減衰器を具備することによって、または保持手段の材料または構成物内における内部減衰要素によって構成されうる。保持手段は、例えば流体圧式減衰器またはゴム製減衰器を具備しうる。このことは、モータ−吸引送風器ユニットの振動がモータハウジングに伝播するのを防止するのみならず、振動の軽減または除去さえもがなされる点において有利である。
【００１５】
保持手段は、モータ−吸引送風器ユニットの壁部とモータハウジングの壁部との間に配列された、弾性緩衝要素または減衰性緩衝要素をさらに具備しうる。緩衝要素は、適切な任意の弾性要素および減衰要素のうちの少なくとも一方、例えばパッド、多孔質パッドまたは空気充填パッドでありうる。緩衝要素はリング形状の構成要素でありうる。リング形状の構成要素は、均一に分布して在りうる荷重受け突起部を具備しうる。保持手段は、例えばポリマー、ゴム、熱弾性ポリマー、シリコーン、ポリウレタン材料またはポリウレタンフォームから形成されうる。
【００１６】
本発明の保持手段は、モータ−吸引送風器ユニットの壁部とモータハウジングの壁部との間に配列された少なくとも１つのバネを具備しうる。バネの寸法は、完全に圧縮されないように、かつ完全に伸長されないようにすることによって、モータ−吸引送風器ユニットからの振動に応答するように調整されうる。バネは、共振の危険性を考慮してさらに寸法決めされうる。バネは、モータ−吸引送風器ユニットからの力に対して弾性的に応答するように配列されうる。幾つかのバネは、モータ−吸引送風器ユニットをモータハウジングに接続して配列されうる。バネは、例えば螺旋バネ、ゴムバネまたは気体バネでありうる。
【００１７】
本発明の真空掃除機は、吸引流をモータ−吸引送風器ユニットまで案内するように配列された封止手段をさらに具備する。一実施形態によると、封止手段は、吸引流方向において可撓性を呈し、力に対して降伏するとともに、半径方向における圧縮荷重に対しては剛性および抵抗作用を呈するように配列される。この構造は、振動がモータ−吸引送風器ユニットから封止手段を介してモータハウジングに伝達されるのを防止するとともに、封止手段内部における吸引圧力および封止手段外部における圧縮荷重に耐える。したがって、封止手段は、近道を通る流れ、帰還する流れまたは逆向きの流れを防止するように配列されうる。
【００１８】
封止手段には、吸引流を案内するように、モータハウジングとモータ−吸引送風器ユニットとの間に配列される筒状中空空間が形成されうる。筒状中空空間は円形であってもよく、それにより吸引力によって破壊される傾向が低下するようになる。封止手段は、例えばポリマー、ゴム、熱弾性ポリマー、シリコーン、ポリウレタン材料またはポリウレタンフォームから形成されうる。
【００１９】
封止手段はベローを具備しうる。ベローは可撓性および伸張性を呈する封止部であって、モータ−吸引送風器ユニットからの力に対して降伏するとともに、半径方向における圧縮荷重に対しては剛性および抵抗作用を呈するように配列される。このベローは、モータ−吸引送風器ユニットをハウジングの壁部において担持できないようになっていて、モータ−吸引送風器ユニットの振動がベローを介してモータハウジングに伝送されるのを防止するように配列される。
【００２０】
本発明の他の実施形態によると、モータ−吸引送風器ユニットは、動作中において保持手段のみによって担持されうる。このことは振動の伝播を防止するのに好ましい。なぜならそうすると、モータ−吸引送風器ユニットから伝送されるすべての振動が保持手段を介して強制的に伝送されるためである。保持手段は、振動に対して弾性的に応答するように配列されるとともに減衰手段を具備しうる。
【００２１】
本発明の他の実施形態によると、封止手段が中央に配列されるとともに、保持手段は周辺部に配列される。モータ−吸引送風器ユニットは、中央入口が形成された第１の壁部を有するケーシングを具備しうる。封止手段は中央入口において配列されていて、モータハウジングの入口まで延在している。保持手段は、モータ−吸引送風器ユニットのケーシングの第１の壁部の最外方の端部において配列されうるとともに、モータハウジングの壁部に接続されうる。このことは、ケーシングの構造がより高い堅固性および剛性を呈する、モータ−吸引送風器ユニットのケーシングの周辺部の可能なかぎり離れた外方において振動を減衰させるのに有効なために有利である。
【００２２】
本発明の他の実施形態によると、モータ−吸引送風器ユニットのケーシングの第１の壁部は、真空掃除機の通常の使用に際しては頂壁であり、モータ−吸引送風器ユニットは、モータハウジングの壁部から保持手段において懸架されている。モータ−吸引送風器ユニットが起動されると、次いでモータ−吸引送風器ユニットが、吸引流の力によってモータハウジングの底部から上昇されうる。それにより接続点の数が減少しうるようになって、モータ−吸引送風器ユニットの頂部における接続点のみを具備するようになる。あらゆる接続点は、振動が伝送されるリスクを示唆する。したがって、接続点の数を減少することにより不快な騒音レベルが低減されうる。
【図面の簡単な説明】
【００２３】
【図１】本発明の好適な実施形態に係る真空掃除機の斜視図である。
【図２】本発明の好適な実施形態の１つに係る真空掃除機の断面斜視図において、動作中の真空掃除機を示す図である。
【図３】図２において、停止されている真空掃除機を示す図である。
【図４】本発明の実施形態に係る真空掃除機の部品の拡大図である。
【図５】本発明の実施形態に係る真空掃除機の部品の拡大図である。
【発明を実施するための形態】
【００２４】
図１は、本発明の好適な実施形態に係る真空掃除機１の斜視図を示す。真空掃除機は、ノズル２、筒体４および真空掃除機ケーシング６を備えていて、モータ−吸引送風器ユニットを備えた機械ユニットと、集塵空間とが真空掃除機１に組付けられている。
【００２５】
図２および図３は、本発明の一実施形態に係る真空掃除機１の一部を示す断面斜視図である。真空掃除機１は、真空掃除機ケーシング６と、集塵袋１０と、モータハウジング１２と、モータ−吸引送風器ユニットのケーシング１５によって収容されるモータ−吸引送風器ユニット１４と、ベロー１６の形態をなす封止手段と、保持手段１８と、ＨＥＰＡフィルタ２０とを具備している。図２において、真空掃除機１は動作状態にあり、真空掃除機１内部における吸引流２２の経路が矢印で示されている。図３において、モータ−吸引送風器ユニット１４は停止されていてモータハウジング１２内部において休止している。
【００２６】
モータハウジング１２には入口２８および出口３０が設けられている。ベロー１６は入口２８に取付けられていて、モータハウジング１２の入口２８と、中央に配列されたモータ−吸引送風器ユニットのケーシング１５の入口とを接続している。ベロー１６は、ベロー１６の内部における吸引流２２をベロー１６の外部における過度の圧力から遮断している。
【００２７】
モータ−吸引送風器ユニット１４は円形のモータ−吸引送風器ユニットのケーシング１５の内部に配列されており、モータ−吸引送風器ユニットのケーシング１５は保持手段１８を介してモータハウジング１２に取付けられている。保持手段１８はポリウレタンから形成される緩衝リングの形態をなしていて、モータ−吸引送風器ユニットのケーシング１５の頂壁２４と、モータハウジング１２の頂壁２６とを接続している。この緩衝リングは、モータ−吸引送風器ユニットのケーシング１５の上壁２４の最外方の周辺部に設けられている。モータ−吸引送風器ユニットのケーシング１５は、モータハウジング１２の頂壁２６において保持手段１８およびベロー１６を介してモータハウジング１２に取付けられているだけである。
モータハウジング１２の内壁は吸音層３２によって被覆されている。ＨＥＰＡフィルタ２０は真空掃除機ケーシング６の出口に配列されている。
【００２８】
本発明に係る真空掃除機１は、次の態様により動作可能である。
使用者が真空掃除機１を起動させると、モータ−吸引送風器ユニット１４が起動し、それにより吸引流２２が生成される。吸引流２２は、真空掃除機１のノズル２に隣接する領域から例えば塵を引込む。塵を含んだ吸引流２２は筒体４に追従して真空掃除機ケーシング６まで移動し、真空掃除機ケーシング６において集塵袋１０に進入する。塵が集塵袋１０において収集されるとともに、吸引流２２は集塵袋１０の壁部を通過する。吸引流２２は、モータケーシング１２の入口２８およびベロー１６を通ってモータ−吸引送風器ユニット１４に進入する。モータ−吸引送風器ユニット１４を通過した後、吸引流２２（実際には排気流に転化している）は、ＨＥＰＡフィルタ２０を通って真空掃除機ケーシング６から吐出される。
【００２９】
モータ−吸引送風器ユニット１４が稼動しているとき、振動が形成される。この振動は保持手段１８に伝送され、保持手段１８は、この振動に対して弾性的にかつ減衰効果を伴って応答する。このことは、大部分の振動が減衰されるとともに、振動のうちの僅かな部分のみがモータハウジング１２に伝達されうることを示唆する。ベロー１６は、いかなる付加的な力または運動作用をもモータハウジング１２に伝送することなく、振動に従い可撓性を伴って運動する。ベロー１６は、ベロー１６の内部における吸引力とベロー１６の外部における圧縮力との間の圧力差に耐える。
【００３０】
モータ−吸引送風器ユニット１４が稼働している際、吸引流２２によって生成される力は重力に対向する方向において作用し、モータ−吸引送風器ユニット１４を上昇させ、それにより、モータ−吸引送風器ユニット１４が保持手段１８およびモータハウジング１２の上方部に向かって押圧されるようになる。次いで、モータ−吸引送風器ユニット１４は懸架されていて、保持手段１８を介してモータハウジング１２に接続されるだけになる。
吸引流の経路に沿って在る吸音層３２は、空気中を伝わる騒音を吸収する。
真空掃除機１が停止されると、モータ−吸引送風器ユニット１４の振動が止まって休止状態まで降下して戻る。
【００３１】
図４において、本発明の好適な実施形態のベロー１６が拡大して示されるとともにその一部の断面が示されている。さらに保持手段１８が示されており、この保持手段１８には、ベロー１６の周りに対称に配列された４つの突出緩衝部が設けられている。保持手段１８はモータ−吸引送風器ユニット１４の頂部に配列されている。
【００３２】
図５は本発明の代替的な実施形態を示しており、この実施形態において、保持手段１８は４つのバネ４０を具備している。バネ４０は螺旋形をなしていてベロー１６の周りに対称に配列されている。バネ４０は、いかなる振動をもモータハウジング１２に伝達することなく、振動に対して弾性的に応答する。
【００３３】
本発明の好適な実施形態を参照して説明したが、添付の特許請求の範囲に記載された発明の範囲を逸脱することなく種々の変更ないし改変がなされうることが当業者において直ちに明らかになるべきである。一般に、本発明は、特許請求の範囲の記載のみによって限定されることを意図している。
【図１】
0005199480.tif 000002
【図２】
0005199480.tif 000003
【図３】
0005199480.tif 000004
【図４】
0005199480.tif 000005
【図５】
0005199480.tif 000006